(57)【要約】      （修正有）【課題】より強力に潤滑油酸化劣化ができ、交換時期頻度をもっと延長させ経済的負担を軽減できる潤滑油を得る装置を提供する。【解決手段】加圧された空気の流通経路の途中に高電圧直流電源装置高電圧出力側に接続された高電圧耐圧電線先端放電部を空気流通経路内部に設置し、その放電部と空気中の水分の接触により発生したヒドロキシルイオン（Ｈ３Ｏ２）を流通経路内の流通空気と混合させ、その混合空気を潤滑油内部に放出し潤滑油と接触させることを特徴とする潤滑油界面活性増強装置。【選択図】なし【特許請求の範囲】
【請求項１】
加圧された空気の流通経路の途中に高電圧直流電源装置高電圧出力側に接続された高電圧耐圧電線先端放電部を空気流通経路内部に設置し、その放電部と空気中の水分の接触により発生したヒドロキシルイオン（Ｈ３Ｏ２）を流通経路内の流通空気と混合させ、その混合空気を潤滑油内部に放出し潤滑油と接触させることを特徴とする潤滑油界面活性増強装置。
【請求項２】
既知の肉厚１ｍｍ以上を有する一般に使用されている高絶縁性シリコン樹脂皮膜製高電圧耐圧単銅線（単銅線直径１ｍｍ位）を使用し、そのシリコン樹脂製高電圧耐圧単銅線先端部を針状に尖らせた放電部を有する電線を、高電圧直流電源装置高電圧出力側に接続し、任意の長さで設置可能としたことを特徴とする潤滑油界面活性増強装置。
【発明の詳細な説明】
【技術分野】
【０００１】  本発明は、潤滑油の劣化防止策のための界面活性効果増強装置に関するものである。
【背景技術】
【０００２】  潤滑油には各種の機能を付与するために酸化防止剤、粘度指数向上剤等の添加物が配合されているなど多くの界面活性剤が使用されていることは潤滑油と界面活性剤とのかかわりは強い。【０００３】  また、異例ではあるが電極を有することでマイナスイオンが微量に発生するとされている電気石、たとえばトルマリの粉状が潤滑油の劣化防止剤として使用されている（例えば特許文献参照。）。
【特許文献】特開２００３−３３６０８６号公報
【発明の開示】
【発明が解決しようとする課題】
【０００４】  潤滑油の機能保持の問題は一定の期間ごとに潤滑油交換が生じ、潤滑油の性能維持に務め、その劣化を未然に防止するのみであったし、潤滑油劣化防止剤使用にしても多少の使用延長は望めるが結局潤滑油交換となり、また潤滑油ろ過装置にしてもろ過フィルターの保守や交換が生じてくる課題も残っている、また、潤滑油使用が昼夜の連続である場合は潤滑油交換の頻度をさらに増しランニングコストに多大な影響を与えている。【０００５】  また、特許文献で示されるトルマリンなどを用いての潤滑油劣化防止対策も、使用初期にはそれなりの効果はあるにはあるが，本来トルマリンからのマイナスイオン発生量は最大でも千数百個／ｃｍ３であるので使用に際して大量のマイナスイオン発生が必要とするためかなりの量のトルマリンを使用しなくてはならないし、また長時間使用においての潤滑油のスラッジ等による不純物の増加で、その不純物が微細なためトルマリン表面を覆うように付着しだし、トルマリン自体の電極極性が働かなくなり何の効果もない、ただ潤滑油槽につけてある無用物になっている場合もあり、これを解決するにはこのトルマリンも時々交換せざるを得なくなり費用対効果の面においてまだまだ課題が多く残っている。
【課題を解決するための手段】
【０００６】  本発明は、上記の課題を解決するために種々検討した結果、もっと強力に潤滑油劣化防止ができ、交換時期頻度をもっと延長させ経済的負担を軽減するには、潤滑油の基本分子成分の炭化水素の酸化を抑え還元作用を増強促進し、なおかつ界面活性作用を増強すればよいことに着目した。【０００７】  酸化とは、原子若しくは原子団から電子を取り去られること、還元とは、原子若しくは原子団に電子を付加されることであるから、還元作用の強い安全性に優れた電子を帯びたヒドロキシルイオン（Ｈ３Ｏ２）を安定して高濃度で潤滑油と連続接触させ、時間経過において従来以上の潤滑油劣化防止対策機構の開発に着目たことを特徴とする簡便な装置を発明完成するに至った。【０００８】  すなわち、本発明は、加圧された空気の流通経路の途中に高電圧（マイナスＤＣ７０００Ｖ前後）電源装置高電圧出力側に繋がった高電圧耐圧電線先端放電部を空気流通経路内部に設置し、その放電部より連続安定発生している高電圧電子を放電しヒドロキシルイオン化にし流通経路内の流通空気と接触混合させ、その混合空気を潤滑油容器内の潤滑油に気泡発生器等を用い潤滑油と接触させることを特徴とする装置を提供するものである。【０００９】  本発明はまた、既知の肉厚１ｍｍ以上を有する一般に使用されている高絶縁性シリコン樹脂皮膜製高電圧耐圧単銅線（単銅線直径１ｍｍ位）を使用し、そのシリコン樹脂製高電圧耐圧単銅線先端部を針状に尖らせた電線を、高電圧（マイナスＤＣ７０００Ｖ前後）電源装置の高電圧出力側に接続し、任意の長さで混合気体流通経路の放電式ヒドロキシルイオン発生混合容器に放電式ヒドロキシルイオン発生部を内部設置可能としたことは入り組んだ装置の潤滑油付帯装置にも設置可能にしたことで解決した。
【発明の効果】
【００１０】  本発明は電気の力にて高電圧電子放電部と空気が接触すると空気は水分も含んでいるので瞬間に反応が起こり、水分は電気分解を起こし、水分子（Ｈ２Ｏ）は水素イオン（Ｈ＋）と、水酸イオン（ＯＨ−）に電離（分離）するので、水素イオンは水分子のマイナス極に引き付けられ、その極から放出される電子（ｅ−）と結合し、水素ガスとなり消失する。つまり、弱アルカリに向かい、一方水酸イオンは、周囲の水分子と結合して、水の分子Ｈ２ＯとＯＨ￣の結合したイオン、ヒドロキシルイオン（Ｈ３Ｏ２￣）になり、界面活性効果と還元作用の高い負の電荷を帯びたイオンになるので、基油成分に付着している不純物除去をし、潤滑油等の中の不純物を分解浄化する効果を利用しての装置を有することである。【００１１】  電気の力を用いての界面化成能力と酸化防止をする還元作用に優れた高濃度ヒドロキシルイオンを安定連続発生することが可能となり、発生した界面活性効果と還元作用の優れた高濃度ヒドロキシルイオン（Ｈ３Ｏ２）との混合空気が潤滑油と接触する事で潤滑油劣化の促進を従来の方法以上に防止する効果を有することである。
【産業上の利用可能】
【００１２】  産業界において潤滑油系統を未使用の機器装置類はありえないほど多岐にわたって潤滑油を使用しているし、特に回転を伴なう機器装置類には殆んど潤滑油が使用されているし、自動車などはエンジン用潤滑油効率いかんで自動車の性能に影響が顕著に現れるほど重要な役割を果たしているので、本発明は産業上極めて重要な装置であるし、装置自体が非常にシンプルなので既存にある機器装置類から、これから生み出される機器装置類にも簡単に取り付が可能であることも極めて優れている発明と言える。
【発明を実施するための最良の形態】
【００１３】  以下、本発明を図１に基づき詳細に説明する。図１は、加圧された空気を空気流入経路１に導き、流通経路途中に設けた高電圧電源装置３の高電圧出力側に繋がった高電圧耐圧単銅線５の末端の放電式電子発生部６をヒドロキシルイオン発生混合容器２の内部に設置し通過させ、混合気体流通経路４の内部を通って空気と混合した高濃度ヒドロキシルイオン混合気体を潤滑油容器７の潤滑油８と接触しうるように流通経路を設ける。【００１４】  放電式ヒドロキシルイオン発生部は既知の肉厚１ｍｍ以上を有する一般に使用されている高絶縁性シリコン樹脂皮膜製高電圧耐圧単銅線（単銅線直径１ｍｍ位）を使用し、そのシリコン樹脂製高電圧耐圧単銅線５の先端部を針状に尖らせた電線を、高電圧電源装置３の高電圧出力側に接続し、任意の長さで気体流通経路の放電式ヒドロキシルイオン発生容器に放電式電子発生部６を内部設置する。
【図面の簡単な説明】
【００１５】
【図１】本発明の空気・ヒドロキシルイオン混合気体流通経路を示す模式図である。
【符号の説明】
【００１６】      １  加圧空気流入経路
２  ヒドロキシルイオン発生混合容器
３  高電圧電源装置
４  混合気体流通経路
５  高電圧耐圧単銅線
６  放電式電子発生部
７  潤滑油容器
８  潤滑油
【図１】
2007277500.tif 000002